(57)【要約】      （修正有）【課題】直接、赤外線音声コントロール装置の赤外線信号送信モジュールにより赤外線信号を送信して電子装置を制御でき、他の制御装置により制御信号を送信する必要がなく、設備のコストを削減可能な赤外線音声コントロールシステムを提供する。【解決手段】赤外線音声コントロールシステムは、第１電子装置との接続を行う赤外線音声コントロール装置１０と、赤外線音声コントロール装置との接続を行うサービスサーバと、サービスサーバとの接続を行う赤外線信号データベースと、を含む。赤外線音声コントロール装置は第１電子装置に対応する音声コントロール信号を受信すると、音声コントロール信号をサービスサーバに送信する。サービスサーバは音声コントロール信号により音声コントロール信号及び第１電子装置に対応する装置制御信号を赤外線音声コントロール装置に送信する。赤外線音声コントロール装置は装置制御信号により第１赤外線信号を第１電子装置に送信することによって第１電子装置を制御する。【選択図】図１
0003225101.tif 000002
【実用新案登録請求の範囲】
【請求項１】
第１電子装置を接続する赤外線音声コントロール装置と、
前記赤外線音声コントロール装置との接続を行うサービスサーバと、
前記サービスサーバとの接続を行う赤外線信号データベースと、
を含み、
前記赤外線音声コントロール装置は前記第１電子装置に対応する音声コントロール信号を受信すると、前記音声コントロール信号を前記サービスサーバに送信し、
前記サービスサーバは前記音声コントロール信号により前記音声コントロール信号及び前記第１電子装置に対応する装置制御信号を前記赤外線音声コントロール装置に送信し、
前記赤外線音声コントロール装置は前記装置制御信号により第１赤外線信号を前記第１電子装置に送信することによって前記第１電子装置を制御し、
前記装置制御信号は第１赤外線通信プロトコルを含み、
前記第１赤外線通信プロトコルは前記赤外線信号データベースに記憶されることを特徴とする赤外線音声コントロールシステム。
【請求項２】
前記赤外線音声コントロール装置は処理モジュール、赤外線信号送信モジュール及び赤外線信号受信モジュールを含み、
前記処理モジュールは前記赤外線信号送信モジュール及び前記赤外線信号受信モジュールに電気的に接続され、
前記処理モジュールは前記赤外線信号送信モジュールにより前記第１赤外線信号を送信することを特徴とする請求項１に記載の赤外線音声コントロールシステム。
【請求項３】
前記赤外線音声コントロール装置は第１通信モジュール及び第２通信モジュールを更に含み、
前記処理モジュールは前記第１通信モジュール及び前記第２通信モジュールに電気的に接続され、
前記赤外線音声コントロール装置は、前記第１通信モジュールにより前記サービスサーバと通信接続し、前記第２通信モジュールにより他の赤外線音声コントロール装置と通信接続し、
前記第２通信モジュールはブルートゥース（登録商標）５．０通信モジュール又はブルートゥース（登録商標）５．１通信モジュールであることを特徴とする請求項１に記載の赤外線音声コントロールシステム。
【請求項４】
処理モジュールと、
音声信号を受信するためのマイクロフォンモジュールと、
赤外線制御信号を受信するための赤外線信号受信モジュールと、
赤外線制御信号を送信するための赤外線信号送信モジュールと、
サーバとの接続を行うための第１通信モジュールと、
第２通信モジュールと、
を含み、
前記処理モジュールは前記マイクロフォンモジュール、前記赤外線受信モジュール、前記赤外線送信モジュール、前記第１通信モジュール及び前記第２通信モジュールに電気的に接続され、
前記マイクロフォンモジュールは第１電子装置に対応する音声コントロール信号を受信すると、前記処理モジュールは前記音声コントロール信号をサービスサーバに送信し、
前記サービスサーバは前記音声コントロール信号により前記音声コントロール信号及び前記第１電子装置に対応する装置制御信号を前記音声コントロール装置に送信し、前記赤外線信号送信モジュールは前記装置制御信号により第１赤外線信号を前記第１電子装置に送信することによって前記第１電子装置を制御することを特徴とする赤外線音声コントロール装置。
【請求項５】
前記赤外線信号送信モジュールは前記赤外線音声コントロール装置の外側に環状に設けられることを特徴とする請求項４に記載の赤外線音声コントロール装置。
【考案の詳細な説明】
【技術分野】
【０００１】
本考案は音声コントロールシステム及び音声コントロール装置に関し、特に赤外線リモコン機能付きの音声コントロールシステム及び音声コントロール装置に関する。
【背景技術】
【０００２】
普通の音声コントロール装置は、クラウドサーバ及び例えばゲートウェイ装置などの他の制御装置と共に用いられ、直接、ネットワークを介して制御信号を送信して制御を行うことによってスマートホームによる各種の家電制御を行なうことが多い。しかし、現在、多くの家電は依然として赤外線信号（即ち赤外線リモコン信号）で遠隔制御を行うため、このような家電はスマートホームの家電制御の範囲に入らない。
【０００３】
そのため、如何に赤外線制御可能な赤外線音声コントロールシステム及び赤外線音声コントロール装置を提供するかは、業界の一つの重要な課題である。
【考案の概要】
【考案が解決しようとする課題】
【０００４】
本考案が解決しようとする技術的課題は、既存の技術的不足を改善できる赤外線音声コントロールシステム及び赤外線音声コントロール装置を提供することにある。
【課題を解決するための手段】
【０００５】
上述した技術的課題を解決するために、本考案に係る赤外線音声コントロールシステムは、第１電子装置との接続を行う赤外線音声コントロール装置と、赤外線音声コントロール装置との接続を行うサービスサーバと、サービスサーバとの接続を行う赤外線信号データベースと、を含む。赤外線音声コントロール装置は、第１電子装置に対応する音声コントロール信号を受信すると、音声コントロール信号をサービスサーバに送信する。サービスサーバは音声コントロール信号により音声コントロール信号及び第１電子装置に対応する装置制御信号を赤外線音声コントロール装置に送信する。赤外線音声コントロール装置は装置制御信号により第１赤外線信号を第１電子装置に送信することによって第１電子装置を制御する。装置制御信号は第１赤外線通信プロトコルを含む。第１赤外線通信プロトコルは赤外線信号データベースに記憶される。
【０００６】
上述した技術的課題を解決するために、本考案に係る赤外線音声コントロール装置は、処理モジュールと、音声信号を受信するためのマイクロフォンモジュールと、赤外線制御信号を受信するための赤外線信号受信モジュールと、赤外線制御信号を送信するための赤外線信号送信モジュールと、サーバとの接続を行うための第１通信モジュールと、第２通信モジュールと、を含む。処理モジュールはマイクロフォンモジュール、赤外線受信モジュール、赤外線送信モジュール、第１通信モジュール及び第２通信モジュールに電気的に接続される。マイクロフォンモジュールは第１電子装置に対応する音声コントロール信号を受信すると、処理モジュールは音声コントロール信号をサービスサーバに送信する。サービスサーバは音声コントロール信号により音声コントロール信号及び第１電子装置に対応する装置制御信号を音声コントロール装置に送信する。赤外線信号送信モジュールは装置制御信号により第１赤外線信号を第１電子装置に送信することによって第１電子装置を制御する。
【考案の効果】
【０００７】
本考案に係る赤外線音声コントロールシステム及び赤外線音声コントロール装置によれば、他の制御装置により制御信号を送信することなく、直接に赤外線音声コントロール装置の赤外線信号送信モジュールにより赤外線信号を送信することによって電子装置を制御することができるため、大幅に設備のコストを削減することができる。
【０００８】
本考案の特徴及び技術的内容をより明瞭に理解するために、以下の本考案に関する詳細な説明や図面を参酌する。ただし、提供された図面はあくまでも本考案の参照と説明を提供するためのものであり、本考案を制限するものではない。
【図面の簡単な説明】
【０００９】
【図１】図１は本考案の実施例の赤外線音声コントロールシステムの模式図である。
【図２】図２は図１における赤外線音声コントロール装置の模式図である。
【図３】図３は本考案の実施例の赤外線音声コントロールシステムが所定領域に設けられた模式図である。
【考案を実施するための形態】
【００１０】
以下、特定の具体的実施例により本考案に係る「赤外線音声コントロールシステム及び赤外線音声コントロール装置」に関する実施形態を説明する。当業者は本明細書で開示された内容から本考案の利点と効果を理解することができる。本考案は他の異なる具体的実施例で実施又は適用されてもよい。本明細書におけるそれぞれの詳細な内容は、本考案の要旨を逸脱することがない限り、異なる観点や適用に基づいて各種の改修や変更を行っても良い。又、予め留意すべき事項は、本考案の図面は単に模式的に説明するためのものにすぎず、実際の寸法に基づいて描かれたものではないという点である。以下の実施形態は、より詳細に本考案に関する技術的内容を説明するが、本考案の保護範囲を制限するものではない。
【００１１】
理解すべきことは、本明細書で「第１」、「第２」、「第３」等の用語で各種の素子又は信号を記述する場合があるが、これらの素子又は信号がこれらの用語に制限されないという点である。これらの用語は、主に一方の素子と他方の素子、又は一方の信号と他方の信号を区別するためのものに過ぎない。又、本明細書で使用された用語の「又は」は、実際の態様に応じて、関連して挙げられた項目のうちのいずれか１個又は複数個の組み合わせを含む場合がある。
【００１２】
［第１実施例］
図１及び図２を参照する。図１は本考案の実施例の赤外線音声コントロールシステムの模式図である。図２は図１における赤外線音声コントロール装置の模式図である。
【００１３】
赤外線音声コントロールシステム１は赤外線音声コントロール装置１０、サービスサーバ１１、赤外線信号データベース１２、アプリケーションインターフェースサーバとしての開発者サービスサーバ１３及び装置サーバ１４を含む。
【００１４】
赤外線音声コントロール装置１０はサービスサーバ１１との接続を行う。サービスサーバ１１は開発者サービスサーバ１３との接続を行う。開発者サービスサーバ１３は装置サーバ１４との接続を行う。装置サーバ１４は赤外線信号データベース１２との接続を行う。本実施例で、サービスサーバ１１、開発者サービスサーバ１３、装置サーバ１４はそれぞれ異なる遠隔サーバ（Ｒｅｍｏｔｅ  Ｓｅｒｖｅｒ）に設けられる。他の実施例では、サービスサーバ１１、開発者サービスサーバ１３、装置サーバ１４は、同一のサーバに設けられてもよく、本考案では特に制限されない。即ち、サービスサーバ１１はサービス請求信号を開発者サービスサーバ１３、装置サーバ１４に送信することで、赤外線信号データベース１２に対する検索、分析又は更新を行うことができる。
【００１５】
即ち、赤外線音声コントロール装置１０は音声コントロール信号をサービスサーバ１１に送信することができる。その後に、サービスサーバ１１はサービスサーバ１１で分析されたサービス制御信号により、サービス起動請求信号を開発者サービスサーバ１３に送信することができる。次に、開発者サービスサーバ１３はサービス起動請求信号により装置サービス起動信号を装置サーバ１４に送信することができる。装置サーバ１４は装置サービス起動信号により電子装置の種類を分析し、赤外線信号データベース１２から対応する赤外線通信プロトコルを取得する。本実施例では、赤外線信号データベース１２は複数の赤外線通信プロトコルを含む。
【００１６】
本実施例では、赤外線音声コントロール装置１０は処理モジュール１０１、マイクロフォンモジュール１０２、赤外線信号送信モジュール１０３、赤外線信号受信モジュール１０４、第１通信モジュール１０５、第２通信モジュール１０６、記憶モジュール１０７及びスピーカーモジュール１０８を含む。
【００１７】
処理モジュール１０１はマイクロフォンモジュール１０２、赤外線信号送信モジュール１０３、赤外線信号受信モジュール１０４、第１通信モジュール１０５、第２通信モジュール１０６、記憶モジュール１０７及びスピーカーモジュール１０８に電気的に接続される。マイクロフォンモジュール１０２は音声信号を受信するためのものである。赤外線信号送信モジュール１０３は赤外線制御信号を送信するためのものである。赤外線信号受信モジュール１０４は赤外線制御信号を受信するためのものである。
【００１８】
本実施例では、赤外線音声コントロール装置１０は第１電子装置Ｅ１、第２電子装置Ｅ２及び第３電子装置Ｅ３との接続を行う。本実施例において、第１電子装置Ｅ１、第２電子装置Ｅ２及び第３電子装置Ｅ３はいずれも赤外線信号を赤外線リモコン信号として受信することができる電子装置であり、例えば空調設備、扇風機、テレビ、セットトップボックス又はディスクプレーヤーであってもよい。
【００１９】
ユーザＡは赤外線音声コントロール装置１０に例えば「こんにちは、空調を２４度に調整してください」などの音声コントロール信号を発信する。赤外線音声コントロール装置１０のマイクロフォンモジュール１０２はこの音声コントロール信号を受信する。処理モジュール１０１は第１通信モジュール１０５を介して受信した音声コントロール信号をサービスサーバ１１に送信する。サービスサーバ１１は音声コントロール信号に語意分析を行う。語意分析とは、例えば、まず音声コントロール信号のうちの「空調」をピックアップし、次に「２４度に調整する」をピックアップする。次に、音声コントロール信号の「空調」によりサービス起動請求信号（Ｔｕｒｎ−Ｏｎ  Ｒｅｑｕｅｓｔ）を対応する開発者サービスサーバ１３に送信する。本実施例で、開発者サービスサーバ１３は開発者が自ら設置したサービスサーバである。他の実施例では、開発者サービスサーバ１３はサービスサーバ１１に設けられてもよい。開発者サービスサーバ１３はサーバの演算サービスがない方式で複数の開発者に提供して使用される。開発者サービスサーバ１３はサービス起動請求信号を受信した後、サービス起動請求信号に含まれる対応の「空調」に関する信号により装置サービス起動信号を装置サーバ１４に送信することによって、装置サーバ１４に「空調」に対応する第１赤外線通信プロトコルを提供する。
【００２０】
装置サーバ１４は装置サービス起動信号により赤外線信号データベース１２から「空調」に対応する第１赤外線通信プロトコルを見つけると、装置サーバ１４は第１赤外線通信プロトコルを開発者サービスサーバ１３に送信する。続いて、開発者サービスサーバ１３は第１赤外線通信プロトコルをサービスサーバ１１に送信する。次に、サービスサーバ１１は第１赤外線通信プロトコル及び制御信号に対応する装置制御信号を赤外線音声コントロール装置１０に送信する。赤外線音声コントロール装置１０は装置制御信号のうちの第１赤外線通信プロトコル及び制御信号により第１赤外線信号を送信することによって、空調を２４度に調整する。
【００２１】
装置サーバ１４は装置サービス起動信号により赤外線信号データベース１２から「空調」に対応する第１赤外線通信プロトコルを見つけることができない場合、装置サーバ１４はアドバイスメッセージを開発者サービスサーバ１３、サービスサーバ１１及び赤外線音声コントロール装置１０に送信することによって、赤外線音声コントロール装置１０がより完全にユーザＡを助けて家電制御の手間及びステップを省くことができるようにユーザＡに空調などのリモコン用の赤外線信号の収録を促す。本実施例では、赤外線音声コントロール装置１０はスピーカーモジュール１０８及び人工知能システムで音声を発してユーザＡにアドバイス及び応答を行う。
【００２２】
赤外線信号の収録について、ユーザＡは収録されない赤外線リモコン装置としての電子装置を本実施例の赤外線音声コントロール装置１０の赤外線受信モジュール１０４に位置合わせする。赤外線音声コントロール装置１０は赤外線信号を記憶モジュール１０７に記憶する。次に、赤外線音声コントロール装置１０はサービスサーバ１１、開発者サービスサーバ１３及び装置サーバ１４により赤外線信号データベース１２に更新を行うと共に記録された赤外線信号を赤外線信号データベース１２に記憶される。その後、ユーザＡは直接に赤外線音声コントロール装置１０に音声コントロール信号を送信することによって赤外線信号の記録されたそれぞれの家電を制御することができる。
【００２３】
他の実施例では、サービスサーバ１１、開発者サービスサーバ１３及び装置サーバ１４は１つのサーバとして統合することができる。即ち、赤外線音声コントロール装置１０は音声コントロール信号をサービスサーバ１１に送信した後、サービスサーバ１１は音声コントロール信号に対して語意分析を行うと共に音声コントロール信号を装置制御信号に変換する。次に、サービスサーバ１１は赤外線信号データベース１２から対応する赤外線通信プロトコルを見つける。サービスサーバ１１は再び装置制御信号及び対応する赤外線通信プロトコルを赤外線音声コントロール装置１０に送信する。赤外線音声コントロール装置１０は装置制御信号及び対応する赤外線通信プロトコルにより赤外線制御信号を対応する第１電子装置Ｅ１、第２電子装置Ｅ２又は第３電子装置Ｅ３に送信することができる。
【００２４】
また、本実施例では、赤外線信号送信モジュール１０３は赤外線音声コントロール装置１０の外側に環状に設けられる。赤外線信号受信モジュール１０４は、所定位置に設けられてもよく、赤外線送信モジュール１０３と同様に赤外線音声コントロール装置１０の外側に環状に設けられてもよく、本考案では特に制限されない。
【００２５】
また、ユーザＡは赤外線音声コントロール装置１０の赤外線信号受信モジュール１０４により予め第１電子装置Ｅ１、第２電子装置Ｅ２及び第３電子装置Ｅ３の赤外線信号を赤外線信号データベース１２に記録しておくことができる。装置制御信号は第１赤外線通信プロトコルを含む。第１赤外線通信プロトコルは赤外線信号データベース１２に記憶される。
【００２６】
赤外線音声コントロール装置１０は第１通信モジュール１０５によりサービスサーバ１１と通信接続する。赤外線音声コントロール装置１０は第２通信モジュール１０６により他の赤外線音声コントロール装置と通信接続する。本実施例で、第１通信モジュール１０５はワイヤレス・フィディリティー通信モジュール、ブルートゥース（登録商標）通信モジュール、ジグビー通信モジュール、ＬｏＲａ通信モジュール、Ｓｉｇｆｏｘ通信モジュール又はＮＢ−ＩｏＴ通信モジュールであってもよい。第２通信モジュール１０６はブルートゥース（登録商標）５．０通信モジュール又はブルートゥース（登録商標）５．１通信モジュールであってもよい。即ち、第２通信モジュール１０６はメッシュ（Ｍｅｓｈ）機能を有する通信モジュールであればよく、本考案では特に制限されない。
【００２７】
図３を参照する。図３は本考案の実施例の赤外線音声コントロールシステムが所定領域に設けられた模式図である。
【００２８】
図３に示すように、所定領域Ａ１は二階のある建物である。１階Ａ１１及び２階Ａ１２にはそれぞれ第１赤外線音声コントロール装置２１、第２赤外線音声コントロール装置２２、第３赤外線音声コントロール装置２３、第１電子装置３１、第２電子装置３２及び第３電子装置３３が設けられる。本実施例では、第１電子装置３１、第２電子装置３２及び第３電子装置３３は赤外線信号により制御される電子装置である。赤外線信号は１階Ａ１１と２階Ａ１２の間を通過できないため、１階Ａ１１と２階Ａ１２にはそれぞれ異なる赤外線音声コントロール装置が設けられる。
【００２９】
第１赤外線音声コントロール装置２１、第２赤外線音声コントロール装置２２及び第３赤外線音声コントロール装置２３のそれぞれは、それ自体が備える第２通信モジュール（図示せず）により通信することができる。即ち、ユーザＡは第３赤外線音声コントロール装置２３に音声コントロール信号を送信するだけで、２階Ａ１２にある第２電子装置３２及び第３電子装置３３を制御することができる。ユーザＡは第３赤外線音声コントロール装置２３に音声コントロール信号を送信すると、第３赤外線音声コントロール装置２３は内部の第２通信モジュール（図示せず）により第１赤外線音声コントロール装置２１の第２通信モジュール（図示せず）と通信接続され、音声コントロール信号又は制御信号を送信することができる。次に、第１赤外線音声コントロール装置２１により第３電子装置３３に対応する赤外線信号を送信することによって第３電子装置３３を制御する。
【００３０】
［実施例による優れた効果］
本考案で提供された赤外線音声コントロールシステム及び赤外線音声コントロール装置は、直接、赤外線音声コントロール装置の赤外線信号送信モジュールにより赤外線信号を送信して電子装置を制御することができ、他の制御装置により制御信号を送信する必要がなく、効果的に設備のコストを削減することができる。
【００３１】
以上の開示された内容は本考案の望ましい実現可能な実施例にすぎず、本考案の実用新案登録請求の範囲を限定するものではない。本考案の明細書及び図面の内容から派生する等価な技術的変更はすべて本考案の実用新案登録請求の範囲に含まれる。
【符号の説明】
【００３２】
１        赤外線音声コントロールシステム
１０      赤外線音声コントロール装置
１１      サービスサーバ
１２      赤外線信号データベース
１３      開発者サービスサーバ
１４      装置サーバ
１０１    処理モジュール
１０２    マイクロフォンモジュール
１０３    赤外線信号送信モジュール
１０４    赤外線信号受信モジュール
１０５    第１通信モジュール
１０６    第２通信モジュール
１０７    記憶モジュール
１０８    スピーカーモジュール
２１      第１赤外線音声コントロール装置
２２      第２赤外線音声コントロール装置
２３      第３赤外線音声コントロール装置
３１、Ｅ１    第１電子装置
３２、Ｅ２    第２電子装置
３３、Ｅ３    第３電子装置
Ａ        ユーザ
Ａ１      所定領域
Ａ１１    １階
Ａ１２    ２階
【図１】
0003225101.tif 000003
【図２】
0003225101.tif 000004
【図３】
0003225101.tif 000005
【手続補正書】
【提出日】令和1年12月9日(2019.12.9)
【手続補正１】
【補正対象書類名】実用新案登録請求の範囲
【補正対象項目名】全文
【補正方法】変更
【補正の内容】
【実用新案登録請求の範囲】
【請求項１】
第１電子装置を接続する赤外線音声コントロール装置と、
前記赤外線音声コントロール装置との接続を行うサービスサーバと、
前記サービスサーバとの接続を行う赤外線信号データベースと、
を含み、
前記赤外線音声コントロール装置は前記第１電子装置に対応する音声コントロール信号を受信すると、前記音声コントロール信号を前記サービスサーバに送信し、
前記サービスサーバは前記音声コントロール信号により前記音声コントロール信号及び前記第１電子装置に対応する装置制御信号を前記赤外線音声コントロール装置に送信し、
前記赤外線音声コントロール装置は前記装置制御信号により第１赤外線信号を前記第１電子装置に送信することによって前記第１電子装置を制御し、
前記装置制御信号は第１赤外線通信プロトコルを含み、
前記第１赤外線通信プロトコルは前記赤外線信号データベースに記憶されることを特徴とする赤外線音声コントロールシステム。
【請求項２】
前記赤外線音声コントロール装置は処理モジュール、赤外線信号送信モジュール及び赤外線信号受信モジュールを含み、
前記処理モジュールは前記赤外線信号送信モジュール及び前記赤外線信号受信モジュールに電気的に接続され、
前記処理モジュールは前記赤外線信号送信モジュールにより前記第１赤外線信号を送信することを特徴とする請求項１に記載の赤外線音声コントロールシステム。
【請求項３】
前記赤外線音声コントロール装置は第１通信モジュール及び第２通信モジュールを更に含み、
前記処理モジュールは前記第１通信モジュール及び前記第２通信モジュールに電気的に接続され、
前記赤外線音声コントロール装置は、前記第１通信モジュールにより前記サービスサーバと通信接続し、前記第２通信モジュールにより他の赤外線音声コントロール装置と通信接続し、
前記第２通信モジュールはブルートゥース（登録商標）５．０通信モジュール又はブルートゥース（登録商標）５．１通信モジュールであることを特徴とする請求項２に記載の赤外線音声コントロールシステム。
【請求項４】
処理モジュールと、
音声信号を受信するためのマイクロフォンモジュールと、
赤外線制御信号を受信するための赤外線信号受信モジュールと、
赤外線制御信号を送信するための赤外線信号送信モジュールと、
サーバとの接続を行うための第１通信モジュールと、
第２通信モジュールと、
を含み、
前記処理モジュールは前記マイクロフォンモジュール、前記赤外線受信モジュール、前記赤外線送信モジュール、前記第１通信モジュール及び前記第２通信モジュールに電気的に接続され、
前記マイクロフォンモジュールは第１電子装置に対応する音声コントロール信号を受信すると、前記処理モジュールは前記音声コントロール信号をサービスサーバに送信し、
前記サービスサーバは前記音声コントロール信号により前記音声コントロール信号及び前記第１電子装置に対応する装置制御信号を赤外線音声コントロール装置に送信し、前記赤外線信号送信モジュールは前記装置制御信号により第１赤外線信号を前記第１電子装置に送信することによって前記第１電子装置を制御することを特徴とする赤外線音声コントロール装置。
【請求項５】
前記赤外線信号送信モジュールは前記赤外線音声コントロール装置の外側に環状に設けられることを特徴とする請求項４に記載の赤外線音声コントロール装置。
【手続補正２】
【補正対象書類名】明細書
【補正対象項目名】０００６
【補正方法】変更
【補正の内容】
【０００６】
上述した技術的課題を解決するために、本考案に係る赤外線音声コントロール装置は、処理モジュールと、音声信号を受信するためのマイクロフォンモジュールと、赤外線制御信号を受信するための赤外線信号受信モジュールと、赤外線制御信号を送信するための赤外線信号送信モジュールと、サーバとの接続を行うための第１通信モジュールと、第２通信モジュールと、を含む。処理モジュールはマイクロフォンモジュール、赤外線受信モジュール、赤外線送信モジュール、第１通信モジュール及び第２通信モジュールに電気的に接続される。マイクロフォンモジュールは第１電子装置に対応する音声コントロール信号を受信すると、処理モジュールは音声コントロール信号をサービスサーバに送信する。サービスサーバは音声コントロール信号により音声コントロール信号及び第１電子装置に対応する装置制御信号を赤外線音声コントロール装置に送信する。赤外線信号送信モジュールは装置制御信号により第１赤外線信号を第１電子装置に送信することによって第１電子装置を制御する。